(57)【特許請求の範囲】
【請求項１】
柑橘類の果実を、果芯に直交する方向にスライスしたものを模した柑橘類模造品のカットモデルであって、
無色または有色透明な材料で形成され、果肉を模した略円盤状の擬似果肉部材と、
この擬似果肉部材の外周部から、該擬似果肉部材の中心軸に向かって略放射状に切り込まれた複数の切り込み部と、
この複数の切り込み部の各切り込み部に挿入され、じょうのう膜を模したフィルム状の擬似じょうのう膜と、
前記擬似果肉部材の外周部を覆うように設けられ、果皮を模した擬似果皮部材と、
を備えていることを特徴とする柑橘類模造品のカットモデル。
【請求項２】
柑橘類の果実を、果芯に直交する方向にスライスしたものを模した柑橘類模造品のカットモデルであって、
無色または有色透明な材料で形成され、果肉を模した略円盤状の擬似果肉部材と、
この擬似果肉部材の外周部から、該擬似果肉部材の中心軸に向かって略放射状に切り込まれた複数の切り込み部と、
この複数の切り込み部の各切り込み面には、じょうのう膜を模擬するように塗料が塗布され、
前記擬似果肉部材の外周部を覆うように設けられ、果皮を模した擬似果皮部材と、
を備えていることを特徴とする柑橘類模造品のカットモデル。
【請求項３】
柑橘類は、レモン、みかん、夏みかん、オレンジ、金柑、柚子、八朔、ザボン、ボンカン、および、グレープフルーツの内のいずれかであることを特徴とする請求項１または２記載の柑橘類模造品のカットモデル。
【発明の詳細な説明】
【技術分野】
【０００１】
本発明は、柑橘類の果実を、果芯に直交する方向にスライスしたものを模した柑橘類模造品のカットモデルに係り、特に、擬似果肉を透して奥行き感のある擬似じょうのう膜に仕上げて見栄えを良くし、より本物に近いリアルな質感を表現することができるものに関する。
【背景技術】
【０００２】
従来、スライスしたレモンやみかんなどの柑橘類を模擬した柑橘類模造品のカットモデルにあっては、果肉を模して無色または有色透明樹脂で形成された略円盤状の部材の表面に、塗料を用いて果芯、じょうのう膜、果皮などを模した模様を描画し、リアル感を出すよう工夫されていた。
【発明の概要】
【発明が解決しようとする課題】
【０００３】
しかしながら、上述したような柑橘類模造品のカットモデルにあっては、描画される模様は、あくまでも平面的なものであり、立体感に欠けるため、奥行きを持たせてリアルに表現することができ難いという問題点があった。
【０００４】
本発明は、上述した問題点を解決するためになされたものである。
【課題を解決するための手段】
【０００５】
請求項１に係る発明は、柑橘類の果実を、果芯に直交する方向にスライスしたものを模した柑橘類模造品のカットモデルであって、無色または有色透明な材料で形成され、果肉を模した略円盤状の擬似果肉部材と、この擬似果肉部材の外周部から、該擬似果肉部材の中心軸に向かって略放射状に切り込まれた複数の切り込み部と、この複数の切り込み部の各切り込み部に挿入され、じょうのう膜を模したフィルム状の擬似じょうのう膜と、前記擬似果肉部材の外周部を覆うように設けられ、果皮を模した擬似果皮部材と、を備えている柑橘類模造品のカットモデルである。
【０００６】
請求項２に係る発明は、柑橘類の果実を、果芯に直交する方向にスライスしたものを模した柑橘類模造品のカットモデルであって、無色または有色透明な材料で形成され、果肉を模した略円盤状の擬似果肉部材と、この擬似果肉部材の外周部から、該擬似果肉部材の中心軸に向かって略放射状に切り込まれた複数の切り込み部と、この複数の切り込み部の各切り込み面には、じょうのう膜を模擬するように塗料が塗布され、前記擬似果肉部材の外周部を覆うように設けられ、果皮を模した擬似果皮部材と、を備えている柑橘類模造品のカットモデルである。
【０００７】
請求項３に係る発明は、請求項１または２記載の柑橘類模造品のカットモデルにおいて、柑橘類は、レモン、みかん、夏みかん、オレンジ、金柑、柚子、八朔、ザボン、ボンカン、および、グレープフルーツの内のいずれかであるものである。
【発明の効果】
【０００８】
請求項１に記載の柑橘類模造品のカットモデルによれば、無色または有色透明な材料で形成され、果肉を模した略円盤状の擬似果肉部材と、この擬似果肉部材の外周部から、該擬似果肉部材の中心軸に向かって略放射状に切り込まれた複数の切り込み部と、この複数の切り込み部の各切り込み部に挿入され、じょうのう膜を模したフィルム状の擬似じょうのう膜と、を備えているため、擬似果肉を透して奥行き感のある擬似じょうのう膜に仕上げて見栄えを良くし、より本物に近いリアルな質感を表現することができる
【０００９】
請求項２に記載の柑橘類模造品のカットモデルによれば、無色または有色透明な材料で形成され、果肉を模した略円盤状の擬似果肉部材と、この擬似果肉部材の外周部から、該擬似果肉部材の中心軸に向かって略放射状に切り込まれた複数の切り込み部と、この複数の切り込み部の各切り込み面には、じょうのう膜を模擬するように塗料が塗布されているため、擬似果肉を透して奥行き感を出して見栄えを良くし、より本物に近いリアルな質感を表現することができる。
【００１０】
請求項３に記載の発明によれば、請求項１または２記載の柑橘類模造品のカットモデルの効果に加え、柑橘類は、レモン、みかん、夏みかん、オレンジ、金柑、柚子、八朔、ザボン、ボンカン、および、グレープフルーツの内のいずれかであるため、じょうのう膜が目立つこれらの柑橘類にあっては、特に、奥行き感を際立たせ、より一層リアルな質感を表現することができる。
【図面の簡単な説明】
【００１１】
【図１】本発明に係る柑橘類模造品のカットモデルの一実施例を示した概略的斜視図である。
【図２】図１の製造過程を示した概略的斜視図であり、擬似果肉部材成形後のものである。
【図３】図１の製造過程を示した概略的斜視図であり、切り込み部形成後のものである。
【図４】図１の製造過程を示した概略的斜視図であり、切り込み部開成後のものである。
【図５】図１の製造過程を示した概略的斜視図であり、接着剤塗布後のものである。
【図６】図１の製造過程を示した概略的斜視図であり、フィルム挿入時のものである。
【図７】図１の製造過程を示した概略的斜視図であり、切り込み部閉成後のものである。
【図８】図１の製造過程を示した概略的斜視図であり、中間成形物作製後のものである。
【図９】図１の製造過程を示した概略的斜視図であり、擬似果皮部材嵌着時のものである。
【図１０】図１の製造過程を示した概略的斜視図であり、模様を描画時のものである。
【図１１】図１の変形例を示した概略的斜視図である。
【発明を実施するための形態】
【００１２】
本発明の一実施例を、図１を参照して説明する。図１において、Ａは、柑橘類模造品のカットモデルであり、例えば、柑橘類であるレモンの果実を、果芯に直交する方向にスライスしたものを模した柑橘類模造品のカットモデルであって、概略的に、擬似果肉部材１と、切り込み部１１と、擬似じょうのう膜２と、擬似果皮部材３とにより構成されている。
【００１３】
擬似果肉部材１は、例えば、ポリ塩化ビニル（ＰＶＣ）、ポリエチレン（ＰＥ）、ポリスチレン（ＰＳ）、ポリウレタン（ＰＵ）、アクリルなどの透明樹脂や、これに顔料を混ぜ込んだものなど、無色または有色透明な材料で形成され、果肉を模した略円盤状のものである。この擬似果肉部材１の上面および／または底面は、平坦な形状でもよいが、砂じょう（さのう）を模して、よりリアルに表現するために、細かな凹凸を形成するようにしてもよい。
【００１４】
切り込み部１１は、擬似果肉部材１の外周部１３から、該擬似果肉部材１の中心軸、即ち、柑橘類の果芯に相当する部位に向かって略放射状に切り込まれているもので、この切り込み部１１は、同図に示したように、複数設けられている。
【００１５】
擬似じょうのう膜２は、複数の切り込み部１１、１１、・・・の各切り込み部１１に挿入され、果実のじょうのう膜を模したフィルム２０（後記）により形成されているもので、該フィルム２０は、例えば、ポリ塩化ビニル（ＰＶＣ）、ポリエチレン（ＰＥ）、ポリスチレン（ＰＳ）、ポリウレタン（ＰＵ）、アクリルなどの材料で形成されている。
【００１６】
擬似果皮部材３は、擬似果肉部材１の外周部１３を覆うように設けられ、果実の果皮を模したものであり、例えば、ポリ塩化ビニル（ＰＶＣ）、ポリエチレン（ＰＥ）、ポリスチレン（ＰＳ）、ポリウレタン（ＰＵ）、アクリルなどの材料で形成された略環状の部材であって、その表面に、擬似果芯４などの模様が描画されている。
【００１７】
次に、上述した実施例のように構成される柑橘類模造品のカットモデルＡの製造方法について、図２〜図１０を参照して説明する。
【００１８】
まず、略円盤状に成形した擬似果肉部材１（図２参照）に、例えば、カッターナイフｃ（図３参照）や刃型（不図示）を用いて、擬似果肉部材１の外周部１３から、果芯に相当する部位の中心軸ｚに向かって略放射状の切り込みを入れ、複数の切り込み部１１、１１、・・・を形成する（図３参照）。
【００１９】
そして、擬似じょうのう膜２となるフィルム２０の装着を行うもので、切り込み部１１の一つを開成（図４参照）した後、刷毛等を用いて切り込み部１１に面する切り込み面１２上に接着剤を塗布し（図５参照）、切り込み部１１にフィルム２０を挿入（図６参照）した後、該フィルム２０を挟持した状態で切り込み部１１を再び閉成（図７参照）する。なお、前述のフィルム２０は、該フィルム２０の両面に、あらかじめ粘着剤が塗布されたシール状のものであってもよく、かかる場合、接着剤の塗布が不要となる。
【００２０】
そして、前述の図４〜図７に示したフィルム２０の装着を、各切り込み部１１について順次行うもので、このフィルム２０の装着が完了すると図８に図示した形状の中間成形物Ａ’が出来上がる。
【００２１】
そして、図９に示したように、刷毛等を用いて外周部１３上に接着剤を塗布した後、略環状に形成された擬似果皮部材３を、前述の中間成形物Ａ’の外周部１３を覆うように嵌着し、引き続いて、図１０に示したように、刷毛を用いて擬似果皮部材３上に果皮を模した模様を描画する。なお、見栄えを良くし、より一層リアルな質感を表現するため、同図に示したように、擬似果肉部材１上に、果芯を模した擬似果芯４や、種子を模した擬似種子５などの模様を描画するようにしてもよい。
【００２２】
ところで、上述した実施例にあっては、擬似じょうのう膜２となるフィルム２０を切り込み部１１に挿入した例について記載したが、図１１に示したように、複数の切り込み部１１、１１、・・・の各切り込み面１２に、じょうのう膜を模擬するように塗料２１を塗布し、切り込み面どうし１２、１２を接着するようにしてもよい。
【００２３】
また、上述した実施例にあっては、柑橘類の果実として、レモンを例示したが、他の柑橘類、具体的には、みかん、夏みかん、オレンジ、金柑、柚子、八朔、ザボン、ボンカン、或いは、グレープフルーツなどであってもよい。
【符号の説明】
【００２４】
Ａ      柑橘類模造品のカットモデル
１      擬似果肉部材
１１    切り込み部
２      擬似じょうのう膜
２０    フィルム
２１    塗料
３      擬似果皮部材
【図１】
0005489973.tif 000002
【図２】
0005489973.tif 000003
【図３】
0005489973.tif 000004
【図４】
0005489973.tif 000005
【図５】
0005489973.tif 000006
【図６】
0005489973.tif 000007
【図７】
0005489973.tif 000008
【図８】
0005489973.tif 000009
【図９】
0005489973.tif 000010
【図１０】
0005489973.tif 000011
【図１１】
0005489973.tif 000012